(57)【要約】【課題】ベルトコンベヤのベルトを容易に着脱することができるベルト張力調整装置を提供する。【解決手段】ベルト張力調整装置１は、駆動ローラ３と、一対のスナップローラ２ａ、２ｂと、該一対のスナップローラ２ａ、２ｂを一方の端部に有する一対の円弧状のアーム４ａ、４ｂと、該アーム４ａ、４ｂの他方の端部に配設された支持歯車５ａ、５ｂと、該支持歯車５ａ、５ｂの一方に配設されたギヤボックスと、該ギヤボックスに連結されたレバー７とを備えてなり、ベルト１２は、一対のスナップローラ２ａ、２ｂと駆動ローラ３とに掛け渡され、アーム４ａ、４ｂは、レバー７の動作に伴い、ギヤボックスを介して一対の支持歯車５ａ、５ｂが同時に動くことで開閉するものであり、アーム４ａ、４ｂの開閉によりスナップローラ２ａ、２ｂがベルト１２を駆動ローラ３に向けて付勢する力を調整することでベルト１２の張力を調整する。【選択図】図２
2010285227.tif 000002
【特許請求の範囲】
【請求項１】
ベルトコンベヤに装着され、ベルトコンベヤのベルトの張力を調整するベルト張力調整装置であって、
該ベルト張力調整装置は、駆動ローラと、前記ベルトを前記駆動ローラに向けて付勢する一対のスナップローラと、該一対のスナップローラを一方の端部に有する一対の円弧状のアームと、該アームの他方の端部に配設され、該アームを回転自在に支持する一対の支持歯車と、該支持歯車の一方に配設されたギヤボックスと、該ギヤボックスに連結されたレバーとを備えてなり、
前記ベルトは、前記一対のスナップローラと前記駆動ローラとに掛け渡され、
前記一対の円弧状のアームは、前記レバーの動作に伴い、前記ギヤボックスを介して前記一対の支持歯車が同時に動くことで開閉するものであり、
前記レバーの動作に伴うアームの開閉により、前記一対のスナップローラが前記ベルトを前記駆動ローラに向けて付勢する力を調整することで、前記ベルトの張力を調整することを特徴とするベルト張力調整装置。
【請求項２】
前記ベルト張力調整装置は、前記アームを所定の位置で固定するカムレバーを備えてなることを特徴とする請求項１記載のベルト張力調整装置。
【請求項３】
前記レバーの作動角度は３０°以下であることを特徴とする請求項１または請求項２記載のベルト張力調整装置。
【請求項４】
前記ベルトの裏面にＶ桟を溶着し、前記駆動ローラにＶ溝を設けることを特徴とする請求項１、請求項２または請求項３記載のベルト張力調整装置。
【発明の詳細な説明】
【技術分野】
【０００１】
本発明はベルトコンベヤのベルトの着脱に用いるベルト張力調整装置に関する。
【背景技術】
【０００２】
一般にベルトコンベヤは、テンションローラにより張力を加えられた無端ベルトを駆動プーリに接触させ、駆動しているので、ベルトの交換や洗浄を行なう時には少なくとも駆動部の支持機構や関連する連結部を分解した上でベルトを取外す必要がある。特に、食品や医薬品の搬送ラインでは、ベルトの表面、裏面およびローラに付着、堆積した微細なごみや粉塵が製品内や包装品内に混入しないよう取除き、清潔に保つ必要がある。そのため、目に見えるごみや粉塵の付着が認めらなくても少なくとも作業の終了時に毎日１回、ごみや粉塵の付着がある場合はその都度コンベヤからベルトを外して清掃、水洗いをする必要性がある。コンベヤの分解に際し、コンベヤの脚を片持ち式にすること、下面のベルトを支持するリタンローラを落しこみ式にすること等により、リタンローラの着脱は容易に行なえるようになっている。
【０００３】
しかし、ベルトの着脱にはベルトが接触している他のプーリやローラ等を分解した上で、ベルトを取り外さなくてはならず、各部を洗浄した後に、全ての分解箇所を再組立してコンベヤを復旧しているので、コンベヤの清掃のためのベルトの着脱作業に多大の労力と時間の投入を余儀なくされている。
【０００４】
コンベヤのベルトの着脱作業を軽減するために、例えば、キャッチクリップにより容易にコンベヤフレームに対して着脱することができる駆動ローラユニットを用いた小型ベルトコンベヤが知られている（特許文献１参照）。また、駆動プーリ、テークアップ付き絞りプーリ及び緩め絞りプーリからなる駆動ユニットを取付けたベルトコンベヤにおいて、駆動ユニットの左右側板にキャッチクリップを固着して緩め絞りプーリの軸端に掛け止めるようにしたベルトコンベヤが知られている（特許文献２参照）。これはボルト、ナットを使用せずに、駆動ユニットの側板に設けた切欠き（長穴、窓孔、落とし込み等を含む）に絞りプーリ軸と緩め絞りプーリ軸をそれぞれ差込み設け、切欠きから突出する緩め絞りプーリ軸端を側板に固着したキャッチクリップ（パッチン錠）で係止することにより、絞りプーリと緩め絞りプーリの着脱操作を容易としたベルトコンベヤである。
【先行技術文献】
【特許文献】
【０００５】
【特許文献１】特開２００１−８０７１７号公報
【特許文献２】特開２００５−２１２９１８号公報（段落０００５、段落０００６）
【発明の概要】
【発明が解決しようとする課題】
【０００６】
しかしながら、特許文献１の技術では駆動ローラユニットをコンベヤフレームに対して着脱することでベルト自体の着脱は容易になるものの、駆動ローラや駆動用モータユニット、板ばね、収納フレームを搭載したローラユニット全体をコンベヤフレームから分離するにはローラユニット全体が、キャッチクリップでコンベヤフレームに対して着脱可能な軽量小型であることが必要であり、この技術は小型ベルトコンベヤに適用が限定されるという問題がある。
【０００７】
また、特許文献２の技術ではキャッチクリップ（パッチン錠）で係止する対象が、駆動ローラユニット全体ではなく、絞りプーリまたは緩め絞りプーリであるので、大型機にも適用可能である。しかし、ベルトの着脱に際しベルトを緩めることができる範囲は、キャッチクリップの作動範囲に限定されるため、着脱に十分なベルトの緩みを得られないおそれがある。また、絞りプーリまたは緩め絞りプーリをキャッチクリップ（パッチン錠）で係止するため、運転時にキャッチクリップの張力がベルトに常時負荷されることになり、ベルトが短寿命となるおそれがある。
【０００８】
本発明はこのような問題に対処するためになされたものであり、工具を使わず、ベルトコンベヤのベルトを容易に着脱することができるベルト張力調整装置を提供することを目的とする。
【課題を解決するための手段】
【０００９】
本発明のベルト張力調整装置は、ベルトコンベヤに装着され、ベルトコンベヤのベルトの張力を調整するベルト張力調整装置であって、駆動ローラと、上記ベルトを上記駆動ローラに向けて付勢する一対のスナップローラと、該一対のスナップローラを一方の端部に有する一対の円弧状のアームと、該アームの他方の端部に配設され、該アームを回転自在に支持する一対の支持歯車と、該支持歯車の一方に配設されたギヤボックスと、該ギヤボックスに連結されたレバーとを備えてなり、上記ベルトは、上記一対のスナップローラと上記駆動ローラとに掛け渡され、上記一対の円弧状のアームは、上記レバーの動作に伴い、上記ギヤボックスを介して上記一対の支持歯車が同時に動くことで開閉するものであり、上記レバーの動作に伴うアームの開閉により、上記一対のスナップローラが上記ベルトを上記駆動ローラに向けて付勢する力を調整することで、上記ベルトの張力を調整することを特徴とする。
【００１０】
上記ベルト張力調整装置は、上記アームを所定の位置で固定するカムレバーを備えてなることを特徴とする。また、上記レバーの作動角度は３０°以下であることを特徴とする。
【００１１】
また、上記ベルトの裏面にＶ桟を溶着し、上記駆動ローラにＶ溝を設けることを特徴とする。
【発明の効果】
【００１２】
本発明のベルト張力調整装置は、駆動ローラと、一対のスナップローラと、該一対のスナップローラを一方の端部に有する一対の円弧状のアームと、該アームの他方の端部に配設された一対の支持歯車と、該支持歯車の一方に配設されたギヤボックスと、該ギヤボックスに連結されたレバーとを備えてなり、上記ベルトが一対のスナップローラと駆動ローラとに掛け渡され、上記アームは、レバーの動作に伴いギヤボックスを介して一対の支持歯車が同時に動くことで開閉するものであり、該アームの開閉によりスナップローラがベルトを駆動ローラに向けて付勢する力を調整することでベルトの張力を調整するので、駆動ローラを含む付属設備を分解することなく、ワンタッチ操作で、ベルトをスナップローラおよび駆動ローラの拘束から解放させることができ、ベルトをベルトコンベヤから容易に着脱することができる。
【００１３】
また、ベルト張力調整装置は、上記アームを所定の位置で固定するカムレバーを備えてなるので、該カムレバーでアームを固定することで、ベルト駆動時においてアーム位置が変動することがない。また、上記レバーの作動角度は３０°以下であるので、レバーを容易に操作することができる。
【００１４】
また、上記ベルトの裏面にＶ桟を溶着し、上記駆動ローラにＶ溝を設けるので、ベルトを装着する場合の装着位置の目安にすることができるとともに、ベルトを装着後のベルトの蛇行の発生を抑制する効果を持たせることができる。
【図面の簡単な説明】
【００１５】
【図１】本発明のベルト張力調整装置を備えるベルトコンベヤ全体概要図である。
【図２】本発明のベルト張力調整装置を示す正面図である。
【図３】本発明のベルト張力調整装置を示す側面図である。
【図４】本発明のベルト張力調整装置の作動状態を示す説明図である。
【発明を実施するための形態】
【００１６】
本発明のベルト張力調整装置を図面に基づいて説明する。図１は本発明のベルト張力調整装置を備えるベルトコンベヤ全体概要図である。図１に示すように、本発明のベルト張力調整装置１は、ベルトコンベヤ１１の中央に配設され、ベルト１２は、ヘッドプーリ１１ａ、一方のスナップローラ２ｂ、駆動ローラ３、他方のスナップローラ２ａ、およびテールプーリ１１ｂの順に掛け渡されている。これらのスナップローラ２ａ、２ｂは、ベルト張力調整装置１により所定の位置に保持され、ベルト１２に所定の張力を付与し、駆動ローラ３に押し付ける。駆動ローラ３に押し付けられたベルト１２は、駆動ローラ３の駆動により走行する。
【００１７】
図２は本発明のベルト張力調整装置を示す正面図、図３は本発明のベルト張力調整装置を示す側面図である。図２および図３に示すように、本発明のベルト張力調整装置１は、駆動ローラ３と、一対のスナップローラ２ａ、２ｂと、この一対のスナップローラ２ａ、２ｂを一方の端部に有する一対の円弧状のアーム４ａ、４ｂと、この一対の円弧状のアーム４ａ、４ｂの他方の端部に配設され、アーム４ａ、４ｂを回転自在に支持する支持歯車５ａ、５ｂと、この支持歯車５ａ、５ｂの一方に配設されたギヤボックス６と、このギヤボックス６に連結され、支持歯車５ａ、５ｂに対するスナップローラ２ａ、２ｂの作動角度（位置）を調整するレバー７と、アーム４ａを所定の位置で固定するカムレバー８とから構成される。
【００１８】
レバー７を動かすワンタッチ操作により、ギヤボックス６を介してレバー７に直結する支持歯車５ａが所定の作動角度で動き、この支持歯車５ａの動きと逆の方向へ支持歯車５ｂが同じ作動角度で同時に動き、２本の円弧状のアーム４ａ、４ｂを開閉させ、スナップローラ２ａ、２ｂの位置を調整できる。ベルト張力調整装置１は、レバー７の操作により、２本のスナップローラ２ａ、２ｂを介してベルト１２を駆動ローラ３に向けて押し付ける（付勢する）力を調整することで、ベルト１２の張力を調整することができる。
【００１９】
図２に示すように、駆動ローラ３には、駆動モータプーリ９との間にチェーン１０が掛け渡されている。駆動ローラ３は、駆動モータプーリ９の回転により走行するチェーン１０により回転し、スナップローラ２ａ、２ｂにより付勢されたベルト１２を走行させる。チェーン１０の掛かっている駆動側を支点として、２本のスナッププーリ２ａ、２ｂおよび駆動ローラ３を片持ち式とし、レバー７の操作によりベルト１２を緩めることにより反駆動側にベルト１２を取り外すことができる。
【００２０】
図４は本発明のベルト張力調整装置の作動状態を示す説明図であり、図３のＡ−Ｂ矢視図である。図４に示すように、本発明のベルト張力調整装置１において、ベルトを駆動ローラ３に付勢する力は、スナップローラ２ａ、２ｂの位置により調整され、スナップローラ２ａ、２ｂの位置はレバー７の作動によって調整される。レバー７の作動角度は、支持歯車５ａ、５ｂに対するスナップローラ２ａ、２ｂの作動角度に対応する角度であり、最大作動角度は３０°である。作動角度０°のときは、レバー７はレバー７ｌの位置にあり、この位置に対応するスナップローラ２ａｌ、２ｂｌの位置ではベルトに張力を付与できず、この状態でベルトを駆動ローラ３に押し付ける力がゼロとなる。作動角度３０°のときは、レバー７はレバー７ｈの位置にあり、この位置に対応するスナップローラ２ａｈ、２ｂｈの中心の位置は、支持歯車５ａ、５ｂの中心の真上に来る。このとき、ベルトを駆動ローラ３に押し付ける力が最大となる。通常は作動角度３０°以下の条件でベルトに所定の張力を付与し、ベルトコンベヤ１１の運転を行なうことができる。
【００２１】
図１、図２および図４を参照して、本発明のベルト張力調整装置を用いるベルトコンベヤ１１からベルト１２を取り出す手順について説明する。ベルトコンベヤ１１を停止し、ベルト１２の走行停止を確認後、レバー７を作動角度０°の下限まで下方向に降ろし、スナップローラ２ａ、２ｂを介して駆動ローラ３に押し付けられていたベルト１２を駆動ローラ３およびスナップローラ２ａ、２ｂの拘束から解放する。駆動ローラ３およびスナップローラ２ａ、２ｂの拘束から解放されたベルト１２をベルトコンベヤ１１から取り出す。このとき、ベルト駆動ローラ３を固定したままで、レバー７によるワンタッチ操作で、ベルト１２を駆動ローラ３およびスナップローラ２ａ、２ｂの拘束から解放することができ、ベルトコンベヤ１１からベルト１２を取り出すことができる。このため、ベルト１２を駆動ローラ３に摺動させる付属設備を分解する必要のある従来の方法に比べて、著しく作業が容易になる。
【００２２】
本発明のベルト張力調整装置１を用いるベルトコンベヤ１１にベルト１２を取り付ける手順について説明する。レバー７を作動角度０°の下限まで下方向に降ろした状態で、ベルト１２をベルトコンベヤ１１に掛け渡し、次にレバー７を上方向に持ち上げて行き、スナップローラ２ａ、２ｂを介してベルト１２を駆動ローラ３に押し付けて駆動ローラ３に摺動させる。次に、ベルトコンベヤ１１を起動し、ベルト１２が所定の走行状態になるようにレバー７の操作により張力を調整する。このとき、駆動ローラ３はベルト１２を取り出す前の状態に固定されたままである。このため、ベルト１２を駆動ローラ３に摺動させるための付属設備を組み立てる必要のある従来の方法に比べて、著しく作業が容易になる。
【００２３】
ベルトのテンションストロークがスナップローラの可動範囲より長い場合は、ベルトの総長さに対しベルトの緩む割合が少ないので、ベルトの着脱を補助するために、従来用いられているヘッド部を持ち上げるベルト緩め装置を併用することが好ましい。これを併用することで、ベルトの総長さに対しベルトの緩む割合が少ない場合もベルトの着脱を容易に行なうことができる。
【００２４】
ベルトを装着する場合、装着位置によっては、ベルトの蛇行が発生する場合もあり、蛇行抑制効果を持たせるとともに、ベルトの装着位置目安とするために、ベルト裏面にＶ桟を溶着し、駆動ローラ、ヘッドプーリおよびスリ板部にＶ溝を施すことが好ましい。
【産業上の利用可能性】
【００２５】
本発明のベルト張力調整装置は、ワンタッチ操作で、ベルトをスナップローラおよび駆動ローラの拘束から解放させることができ、駆動ローラを含む付属設備を分解することなく、ベルトをベルトコンベヤから容易に着脱することができる。このため、産業界で用いられる大型または小型の各種ベルトコンベヤのベルト張力調整装置として好適に利用できる。
【符号の説明】
【００２６】
１    ベルト張力調整装置
２ａ、２ｂ  スナップローラ
３    駆動ローラ
４ａ、４ｂ  アーム
５ａ、５ｂ  支持歯車
６    ギヤボックス
７    レバー
８    カムレバー
９    駆動モータ
１０    チェーン
１１    ベルトコンベヤ
１２    ベルト
【図１】
2010285227.tif 000003
【図２】
2010285227.tif 000004
【図３】
2010285227.tif 000005
【図４】
2010285227.tif 000006